(57)【特許請求の範囲】
【請求項１】
匂いを発散して害虫を誘引する薬剤収納筒２の下端に付設した外向きフランジ状板３の径方向中間部を起立して外周壁４に形成すると共に、該外周壁上端から下方大径のテーパ状周壁５を突出して外向きフランジ状板外周部を形成し、テーパ状周壁５外面を害虫登り面として、該面に滑り防止用の凹凸７を形成した容器本体と、
上記外周壁４へ下端部を嵌着させた嵌合筒１１に害虫入口１２を形成すると共に、該嵌合筒１１を垂下する蓋板１３外周部を、上記テーパ状周壁５上方を覆う下方大径の傾斜面部１４に形成して、該傾斜面部とテーパ状周壁との間隙を、上記害虫入口を介して薬剤収納筒に連通する匂い発散空間に形成した蓋１０とからなり、
上記テーパ状周壁５下端面を、上記薬剤収納筒２下面と同一ないしは該下面よりも低く位置させた
ことを特徴とする害虫捕獲容器。
【請求項２】
上記容器本体外周壁４内面へ、下端部を嵌着させた嵌合筒１１下端を載置させる複数の載置部６を外周壁４内面からほぼ等間隔に突設すると共に、嵌合筒１１に設けた害虫入口１２を上記載置部と同数とし、かつ下端面開口の開口部に形成し、嵌合筒１１を回動させて押し込むことで、上記害虫入口が載置部６へ着脱自在に嵌合可能に形成した
ことを特徴とする請求項１記載の害虫捕獲容器。
【請求項３】
害虫登り面を形成するテーパ状周壁５に切離し線と折曲線とを形成して、これら両線で囲成する周壁部分を設置面へ突刺し可能な周壁固定用の突刺片８となした
ことを特徴とする請求項１又は２記載の害虫捕獲容器。
【発明の詳細な説明】
【０００１】
【発明の属する技術分野】
本発明は団子虫等の害虫を捕獲する害虫捕獲容器に関する。
【０００２】
【従来の技術】
体長が１ｃｍ内外で、畑や庭の石下などに多く、植物を食害する団子虫の駆除は害虫駆除剤等の散布によっていた。
【０００３】
【発明が解決しようとする課題】
害虫駆除剤を用いることなく団子虫を駆除することが求められていた。
【０００４】
本発明は害虫駆除剤によることなく、団子虫等の害虫を捕獲するものである。
【０００５】
【課題を解決するための手段】
第１の手段として、匂いを発散して害虫を誘引する薬剤収納筒２の下端に付設した外向きフランジ状板３の径方向中間部を起立して外周壁４に形成すると共に、該外周壁上端から下方大径のテーパ状周壁５を突出して外向きフランジ状板外周部を形成し、テーパ状周壁５外面を害虫登り面として、該面に滑り防止用の凹凸７を形成した容器本体と、
上記外周壁４へ下端部を嵌着させた嵌合筒１１に害虫入口１２を形成すると共に、該嵌合筒１１を垂下する蓋板１３外周部を、上記テーパ状周壁５上方を覆う下方大径の傾斜面部１４に形成して、該傾斜面部とテーパ状周壁との間隙を、上記害虫入口を介して薬剤収納筒に連通する匂い発散空間に形成した蓋１０とからなり、
上記テーパ状周壁５下端面を、上記薬剤収納筒２下面と同一ないしは該下面よりも低く位置させた。
【０００６】
第２の手段として、第１の手段を有すると共に、上記容器本体外周壁４内面へ、下端部を嵌着させた嵌合筒１１下端を載置させる複数の載置部６を外周壁４内面からほぼ等間隔に突設すると共に、嵌合筒１１に設けた害虫入口１２を上記載置部と同数とし、かつ下端面開口の開口部に形成し、嵌合筒１１を回動させて押し込むことで、上記害虫入口が載置部６へ着脱自在に嵌合可能に形成した。
【０００７】
第３の手段として、第１又は第２の手段を有すると共に、害虫登り面を形成するテーパ状周壁５に切離し線と折曲線とを形成して、これら両線で囲成する周壁部分を設置面へ突刺し可能な周壁固定用の突刺片８となした。
【０００８】
【発明の実施の形態】
以下、本発明に係る害虫捕獲容器の実施の形態について説明する。
１は容器本体で、薬剤収納筒２の下端に付設した外向きフランジ状板３の径方向中間部を起立して、該中間部を外周壁４に形成すると共に、外向きフランジ状板３外周部を、外周壁４上端から外方へ突出する下方大径のテーパ状周壁５に形成する。そして、外周壁４の上端部を除く内面から複数の載置部６を周方向に等間隔をおいて突設する。
【０００９】
テーパ状周壁５外面は団子虫が這い上がる登り面を形成するため、滑り防止手段を講ずる必要があり、そのためテーパ状周壁５の複数箇所に滑り防止領域７を形成する。該領域には周方向へ延びる突条７ａを径方向に複数本形成する。
なお、薬剤収納筒２に収納する薬剤としては、通常は発散する匂いで団子虫を誘引する薬剤を使用するが、好ましくは殺虫能力もあることが望ましい。
【００１０】
また、テーパ状周壁５の滑り防止領域７を除く周壁部分に、径方向への切離し線と周壁下端部に位置する周方向への折曲線とを形成して、これらが囲成する周壁部分を、先端が鋭角形状に尖った径方向へ細長い突刺片８に形成するのが好ましい。このような突刺片８を周方向に等間隔をおいて複数設ける。突刺片８を地面等の設置面に突き刺すことによりテーパ状周壁５の固定をより強固にすることができる。
【００１１】
また、テーパ状周壁５の下端面は薬剤収納筒２下面よりも低く位置させるが、両者を同一平面上に位置させてもよい。このようにすることによりテーパ状周壁５下端面と地面等の設置面との間に間隙が生じないため、団子虫は確実にテーパ状周壁５を這い上がることができる。
【００１２】
１０は蓋で、嵌合筒１１の下端部を外周壁４の上端部内面へ嵌着させて、嵌合筒下端面を載置部６へ載置させる。嵌合筒１１には下端面開口の開口部１２を周方向に等間隔をおいて載置部６と同数だけ形成する。また、嵌合筒１１を中央部から垂下する蓋板１３の外周部は、テーパ状周壁５の上方を覆う傾斜面部１４に形成して、該傾斜面部１４とテーパ状周壁５との間の間隙を、開口部１２を介して薬剤収納筒２に連通する匂い発散空間に形成する。
【００１３】
次に本実施形態の作用について説明する。
団子虫を捕獲するには、容器を地面等の設置面に載置する。その際、テーパ状周壁５から切り離して下方へ折曲した突刺片８を設置面へ突き刺して容器本体１をより強固に固定する。
傾斜面部１４とテーパ状周壁５との間隙からは薬剤収納筒２からの匂いが発散しており、この匂いに誘引されて団子虫がテーパ状周壁５を這い上がる。この周壁５外面は凹凸に形成されているため滑ることなく登ることができる。
【００１４】
テーパ状周壁５上端に達した団子虫は、滑り防止領域７に向けて開口する開口部１２から容器本体１内に落下し、さらに、匂いに誘引されて薬剤収納筒２内に入り込む。
なお、使用時には、蓋の嵌合筒下端は載置部６へ載置させるが、出荷時には、開口部１２を載置部の上方に位置させて嵌合筒１１を容器本体内へ押し込んで開口部１２を載置部へ嵌合させる。このようにすることにより蓋の高さを低くして容器全体の嵩を小さくすることができる。
使用時には、嵌合筒１１を持ち上げて開口部１２を載置部６から離脱させた後、嵌合筒の下端面を載置部６へ載置させる。
【００１５】
上記では団子虫を例に挙げて説明したが、これに限らず薬剤の種類を変えることにより他の害虫にも使用できることはいうまでもない。
【００１６】
【発明の効果】
請求項１に係る発明は、薬剤収納筒から発散する匂いで害虫を誘引して捕獲可能であるから、害虫駆除剤を使用する必要がない。
また、害虫登り面を形成するテーパ状周壁外面を凹凸に形成したので、平滑面を這うことが困難な害虫でも捕獲可能である。
【００１７】
さらに、蓋板の外周部を、害虫登り面上方を覆う下方大径の傾斜面部に形成したので、薬剤収納筒からの匂いを容器本体の周囲に発散させることが可能である。
【００１８】
さらにまた、容器は、容器本体と蓋との２部品であるから、部品点数が少なくコスト低減が図れる。
【００１９】
請求項２に係る発明は、嵌合筒を押し込むことで、害虫入口が載置部へ着脱自在に嵌合可能に形成したので、出荷時に蓋の高さを低くすることができ、換言すれば容器の嵩を小さくすることができ、このため輸送効率を向上させることができる。
【００２０】
請求項３に係る発明は、突刺片を設けたので、容器本体の固定をより強固にすることができる。
【図面の簡単な説明】
【図１】本発明に係る害虫捕獲容器の使用時の状態を示す半断面図。
【図２】同じく、容器本体から蓋を外した状態を示す斜視図。
【符号の説明】
１  容器本体
２  薬剤収納筒
３  外向きフランジ状板
４  外周壁
５  テーパ状周壁
６  載置部
７  凹凸（滑り防止領域）
８  突刺片
１１  嵌合筒
１２  害虫入口
１３  蓋板
１４  傾斜面部
【図１】
0003678982.tif 000002
【図２】
0003678982.tif 000003